【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
同軸ケーブルネットワーク内で障害の位置を探索するシステムであって：
障害の上流側にある所定の符号化地点でネットワークに接続されるように構成され、前記符号化地点の下流側で発生し前記障害に関連する信号上の識別コードを自動的に符号化する電子回路を含むエンコーダ；
前記符号化地点よりも上流側のアクセスポイントで前記ネットワークに接続されて該ネットワークから信号を受信し、該受信した信号から前記障害に関連する信号を検出して検出信号を生成する障害検出器；および
前記障害検出器に関連して配設され、前記検出信号から前記エンコーダの識別コードを検出するデコーダ、
を備え、
前記エンコーダおよび前記所定の符号化地点を特定し、前記障害の位置を前記所定の符号化地点の下流側であると判定することを特徴とするシステム。
【請求項２】
前記エンコーダの電子回路が、前記識別コードで定まる割り当てられた率で振幅変調することにより、前記障害に関連する信号を符号化することを特徴とする請求項１記載のシステム。
【請求項３】
前記エンコーダが、ハウジング部およびコネクタ部を備えるプローブとして構成され、前記エンコーダの電子回路が前記ハウジングに囲まれており、前記コネクタ部が、前記ネットワーク内のネットワーク装置に接続されて、前記エンコーダの電子回路と前記ネットワークとの電気的接続を確立することを特徴とする請求項１記載のシステム。
【請求項４】
前記障害が共通の経路歪みであり、前記障害検出器が該共通の経路歪みによって生成された信号を検出することを特徴とする請求項１記載のシステム。
【請求項５】
前記障害検出器が、第１および第２入力と出力とを有する相関器を備え、前記共通の経路歪みによって生成された信号が前記第１の入力で前記相関器に受信され、局所的に生成された基準信号が前記相関器の前記第２の入力で受信され、前記基準信号が、前記共通の経路歪みによって生成された信号のエミュレーション信号であり、前記共通の経路歪みによって生成された信号が前記基準信号との相互相関によって前記相関器の出力において相互相関信号を生成し、前記デコーダが前記相互相関信号から前記エンコーダの識別コードを復号することを特徴とする請求項４記載のシステム。
【請求項６】
前記障害が侵入であり、前記障害検出器が侵入を検出することを特徴とする請求項１記載のシステム。
【請求項７】
同軸ケーブルネットワーク内で障害の位置を探索するシステムであって：  
障害の上流側にある所定の符号化地点でネットワークに接続され、前記符号化地点の下流側で発生し前記障害に関連する信号上の識別コードを自動的に符号化する電子回路を含むエンコーダ；および
前記符号化地点よりも上流側のアクセスポイントで前記ネットワークに接続されて該ネットワークから信号を受信する検出およびデコーダユニット、
を備え、
前記検出およびデコーダユニットが、
前記受信した信号から前記障害に関連する信号を検出して検出信号を生成する障害検出電子回路と、
前記検出信号から前記エンコーダの識別コードを復号する復号化電子回路と、
を有し、
前記エンコーダおよび前記所定の符号化地点を特定し、前記障害の位置を前記所定の符号化地点の下流側であると判定することを特徴とするシステム。
【請求項８】
前記障害検出電子回路が、前記障害に関連する信号の検出を支援するためにコンピューターを有することを特徴とする請求項７記載のシステム。
【請求項９】
前記復号化電子回路が、前記エンコーダの識別コードを復号するようにプログラムされたコンピューターを有することを特徴とする請求項７記載のシステム。
【請求項１０】
同軸ケーブルネットワーク内で障害の位置を探索するシステムであって：
障害の上流側にある所定の符号化地点でネットワークに接続され、前記符号化地点の下流側で発生し前記障害に関連する信号上の識別コードを自動的に符号化するエンコーダ；
前記符号化地点よりも上流側のアクセスポイントで前記ネットワークに接続されて該ネットワークから信号を受信し、該受信した信号から前記障害に関連する信号を検出して検出信号を生成する障害検出器；および
前記障害検出器に関連して配設され、前記検出信号から前記エンコーダの識別コードを検出するデコーダ、
を備え、
前記エンコーダおよび前記所定の符号化地点を特定し、前記障害の位置を前記所定の符号化地点の下流側であると判定することを特徴とするシステム。
【請求項１１】
同軸ケーブルネットワーク内で障害の位置を探索する方法であって：
（ａ）障害の上流側にある所定の符号化地点でエンコーダをネットワークに接続するステップ、
（ｂ）前記符号化地点の下流側で発生し前記障害に関連する信号上の識別コードを自動的に符号化するステップ；
（ｃ）前記符号化地点よりも上流側のアクセスポイントで障害検出器を前記ネットワークに接続するステップ；
（ｄ）前記障害検出器を使用して、前記受信した信号から前記障害に関連する信号を検出して検出信号を生成するステップ；および 
（ｅ）前記検出信号から前記エンコーダの識別コードを検出するステップ、
を有し、
前記エンコーダおよび前記所定の符号化地点を特定し、前記障害の位置を前記所定の符号化地点の下流側であると判定することを特徴とする方法。
【請求項１２】
同軸ケーブルネットワーク内で障害の位置を探索するプローブであって：
前記ネットワークのアクセスポイントに接続される構成および寸法を有するコネクタ部分を有するハウジング；
前記ハウジングのコネクタ部分に搭載され、絶縁部材と該絶縁部材に搭載された電気コンタクト組立体とを有するプローブ先端；および
前記ハウジングに収容され、前記電気コンタクト組立体に接続される電子回路であって、前記電気コンタクト組立体は前記コネクタ部分が前記アクセスポートに接続されたときに前記電子回路と前記ケーブルネットワークとの接続を確立し、前記電子回路は、前記ケーブルネットワークからの電力信号によって電力が供給され、前記電子回路は前記プローブに関連する識別コードを自動的に生成すると共に前記アクセスポートの下流側で発生する信号を前記識別コードによって符号化するものである電子回路、
を備え、
前記障害に関連する信号が前記識別コードで復号されると、前記障害の位置を、前記プローブが接続されている前記アクセスポートの下流側であると判定することを特徴とするプローブ。
【請求項１３】
前記プローブ先端が、伸長位置と後退位置との間で、前記ハウジングのコネクタ部分の内側にスライド係合し、前記プローブ先端が、前記ハウジング内に搭載されたばね部材によって、前記プローブ先端の前記伸長位置から前記後退位置への前記スライド係合が前記ばね部材の付勢方向と反対方向となるように、通常時に伸長位置に付勢されており、前記プローブピンは、前記伸長位置における最大長さが前記コネクタ部分から外側に達しており、前記コネクタ部分が前記アクセスポートに接続されたときには、前記プローブ先端が前記コネクタ部分から伸びる長さが最大長から最小長までの間で自己調整可能であることを特徴とする請求項１２記載のプローブ。
【請求項１４】
前記プローブと前記アクセスポートとのねじ結合が適合するように、前記ハウジングのコネクタ部分が、前記ケーブルネットワークのアクセスポートに関連するねじと適合するように形成され且つ寸法が定められたねじを含むことを特徴とする請求項１３に記載のプローブ。
【請求項１５】
前記電子回路に接続されており、該電子回路が前記ケーブルネットワークと電気通信状態にあるときに付勢されて光を発生させる発光電気素子を更に備えることを特徴とする請求項１２に記載のプローブ。
【請求項１６】
前記プローブ先端の電気コンタクト組立体は、前記絶縁部材から外側に延びて前記ケーブルネットワークのアクセスポート内で電気コンタクトを確立する電気コンタクト先端を更に備えることを特徴とする請求項１２に記載のプローブ。
【請求項１７】
前記プローブ先端の絶縁体部材は、前記ハウジングから露出して前記ケーブルネットワークのアクセスポートに挿入される第１端部を有し、該第１端部は、前記電気コンタクト先端が突出する絶縁キャップを有し、前記電気コンタクト先端が前記絶縁キャップによって所定位置に保持されることを特徴とする請求項１６に記載のプローブ。
【請求項１８】
同軸ケーブルネットワーク内で障害の位置を探索する装置であって：
前記ケーブルネットワーク装置に接続されるネットワーク装置；および
前記ネットワーク装置内に搭載され前記ケーブルネットワークと電気通信する符号化回路であって、該符号化回路は前記ネットワーク装置に関連する識別コードを自動的に生成し、且つ、前記ネットワーク装置の下流側で発生する信号を前記識別コードによって符号化する符号化回路、
を備え、
前記障害と関連する信号が前記識別コードで符号化されると、前記障害の位置が前記ネットワークの下流側であると判定することを特徴とする装置。
【請求項１９】
前記ネットワーク装置がマルチタップであることを特徴とする請求項１８に記載の装置。
【請求項２０】
前記ネットワーク装置が増幅器であることを特徴とする請求項１８に記載の装置。